(57)【要約】【課題】ユーザに対して、現在視聴している番組と視聴率との関係を直感的に理解させる。【解決手段】選局部１１は、番組を視聴するための選局指示を受け付ける。ランキング取得部１２は、テレビ番組などの番組ごとの視聴に基づく順位を示すランキング情報を取得する。表示部１３は、選局部１１が受け付けた選局指示によって選局される番組の情報と、ランキング取得部１２が取得したランキング情報とを関連付けた情報を表示する。【選択図】図１
2014068130.tif 000002
【特許請求の範囲】
【請求項１】
番組ごとの視聴に基づく順位を示すランキング情報を取得するランキング取得部と、
番組を視聴するための選局指示を受け付ける選局部と
前記選局部が受け付けた選局指示によって選局される番組の情報と前記ランキング取得部が取得したランキング情報とを関連付けた情報を表示する表示部と
を備えることを特徴とする表示システム。
【請求項２】
前記ランキング取得部が取得したランキング情報において、前記選局部が受け付けた選局指示によって選局される番組の順位が所定順位以上であるか否かを判定する順位判定部と、
前記ランキング情報が示す番組のうち前記順位が前記所定順位以上の番組の番組名を当該順位の順に並べたリストを生成し、前記順位判定部が前記番組の順位が所定順位以上であると判定した場合に、前記リストのうち当該番組の番組名が格納された部分に所定の情報を追加するリスト生成部と
を備え、
前記表示部は前記リスト生成部が生成したリストを表示する
ことを特徴とする請求項１に記載の表示システム。
【請求項３】
前記所定の情報は、前記選局部が受け付けた選局指示によって選局される番組の関連情報であることを特徴とする請求項２に記載の表示システム。
【請求項４】
前記所定の情報は、前記選局部が受け付けた選局指示によって選局される番組の前記順位に対するユーザの寄与率であることを特徴とする請求項２に記載の表示システム。
【請求項５】
前記ランキング取得部が取得したランキング情報において、前記選局部が受け付けた選局指示によって選局される番組の順位を特定する順位特定部を備え、
前記表示部は、前記順位特定部が特定した順位を表示する
ことを特徴とする請求項１に記載の表示システム。
【請求項６】
前記表示部は、前記順位特定部が特定した順位が変動したときに、当該順位を表示する
ことを特徴とする請求項５に記載の表示システム。
【請求項７】
前記表示部は、前記番組の映像を表示する表示装置に備えられることを特徴とする請求項１から請求項６の何れか１項に記載の表示システム。
【請求項８】
前記表示部は、前記選局部が受け付けた選局指示によって選局される番組の映像に重畳させて、前記選局部が受け付けた選局指示によって選局される番組の情報と前記ランキング取得部が取得したランキング情報とを関連付けた情報を表示する
ことを特徴とする請求項７に記載の表示システム。
【請求項９】
前記表示部は、前記番組の映像を表示する表示装置に対して前記選局指示を出力する選局装置に備えられることを特徴とする請求項１から請求項６の何れか１項に記載の表示システム。
【請求項１０】
前記ランキング取得部は、ユーザの属性ごとに、番組ごとの視聴に基づく当該属性における順位を示すランキング情報を取得することを特徴とする請求項１から請求項８の何れか１項に記載の表示システム。
【請求項１１】
番組を視聴するための選局指示を受け付ける選局部と
前記選局部が受け付けた選局指示によって選局される番組の情報と番組ごとの視聴に基づく順位を示すランキング情報とを関連付けた情報を表示する表示部と
を備えることを特徴とする表示装置。
【請求項１２】
番組ごとの視聴に基づく順位を示すランキング情報を取得するステップと、
番組を視聴するための選局指示を受け付けるステップと
前記選局指示によって選局される番組の情報と前記ランキング情報とを関連付けた情報を表示するステップと
を有することを特徴とする番組順位表示方法。
【請求項１３】
コンピュータを、
番組ごとの視聴に基づく順位を示すランキング情報を取得するランキング取得部、
番組を視聴するための選局指示を受け付ける選局部、
前記選局部が受け付けた選局指示によって選局される番組の情報と前記ランキング取得部が取得したランキング情報とを関連付けた情報を表示する表示部
として機能させるためのプログラム。
【発明の詳細な説明】
【技術分野】
【０００１】
本発明は、番組の映像を表示する表示装置を備える表示システム、その表示装置、番組順位表示方法、及びプログラムに関する。
【背景技術】
【０００２】
テレビなどの番組の映像を表示する表示装置の技術分野において、ユーザに対して推薦番組を提示する技術が開発されている。
特許文献１には、放映時間の前後にわたって検索エンジンにおいて検索された検索クエリを用いて、番組の視聴者を予想し、予想視聴率順に番組を並べた推薦番組リストを放送端末に表示する技術が開示されている。
また、特許文献２には、視聴者による番組に対する評価と、その評価を下した視聴者の視聴傾向や個人情報であるプロファイルを収集し、その結果を基に、ある視聴者の嗜好にあった番組のランキングを生成し、提示する技術が開示されている。
【先行技術文献】
【特許文献】
【０００３】
【特許文献１】特開２０１０−１５８０２５号公報
【特許文献２】特許４７８３２８３号公報
【発明の概要】
【発明が解決しようとする課題】
【０００４】
しかしながら、特許文献１、２に係る発明を用いても、現在視聴している番組と視聴率との関係が直感的に理解しがたいという問題がある。
本発明の目的は、上述した課題を解決する表示システム、表示装置、番組順位表示方法、及びプログラムを提供することにある。
【課題を解決するための手段】
【０００５】
本発明は上記の課題を解決するためになされたものであり、番組ごとの視聴に基づく順位を示すランキング情報を取得するランキング取得部と、番組を視聴するための選局指示を受け付ける選局部と前記選局部が受け付けた選局指示によって選局される番組の情報と前記ランキング取得部が取得したランキング情報とを関連付けた情報を表示する表示部とを備えることを特徴とする表示システムである。
【０００６】
また、本発明は、前記ランキング取得部が取得したランキング情報において、前記選局部が受け付けた選局指示によって選局される番組の順位が所定順位以上であるか否かを判定する順位判定部と、前記ランキング情報が示す番組のうち前記順位が前記所定順位以上の番組の番組名を当該順位の順に並べたリストを生成し、前記順位判定部が前記番組の順位が所定順位以上であると判定した場合に、前記リストのうち当該番組の番組名が格納された部分に所定の情報を追加するリスト生成部とを備え、前記表示部は前記リスト生成部が生成したリストを表示することを特徴とする。
【０００７】
また、本発明において前記所定の情報は、前記選局部が受け付けた選局指示によって選局される番組の関連情報であることを特徴とする。
【０００８】
また、本発明において前記所定の情報は、前記選局部が受け付けた選局指示によって選局される番組の前記順位に対するユーザの寄与率であることを特徴とする。
【０００９】
また、本発明は、前記ランキング取得部が取得したランキング情報において、前記選局部が受け付けた選局指示によって選局される番組の順位を特定する順位特定部を備え、前記表示部は、前記順位特定部が特定した順位を表示することを特徴とする。
【００１０】
また、本発明において前記表示部は、前記順位特定部が特定した順位が変動したときに、当該順位を表示することを特徴とする。
【００１１】
また、本発明において前記表示部は、前記番組の映像を表示する表示装置に備えられることを特徴とする。
【００１２】
また、本発明において前記表示部は、前記選局部が受け付けた選局指示によって選局される番組の映像に重畳させて、前記選局部が受け付けた選局指示によって選局される番組の情報と前記ランキング取得部が取得したランキング情報とを関連付けた情報を表示することを特徴とする。
【００１３】
また、本発明において前記表示部は、前記番組の映像を表示する表示装置に対して前記選局指示を出力する選局装置に備えられることを特徴とする。
【００１４】
また、本発明において前記ランキング取得部は、ユーザの属性ごとに、番組ごとの視聴に基づく当該属性における順位を示すランキング情報を取得することを特徴とする。
【００１５】
また、本発明は、番組ごとの視聴に基づく順位を示すランキング情報を取得するランキング取得部と、番組を視聴するための選局指示を受け付ける選局部と前記選局部が受け付けた選局指示によって選局される番組の情報と前記ランキング取得部が取得したランキング情報とを関連付けた情報を表示する表示部とを備えることを特徴とする表示装置である。
【００１６】
また、本発明は、番組ごとの視聴に基づく順位を示すランキング情報を取得するステップと、番組を視聴するための選局指示を受け付けるステップと前記選局指示によって選局される番組の情報と前記ランキング情報とを関連付けた情報を表示するステップとを有することを特徴とする番組順位表示方法である。
【００１７】
また、本発明は、コンピュータを、番組ごとの視聴に基づく順位を示すランキング情報を取得するランキング取得部、番組を視聴するための選局指示を受け付ける選局部、前記選局部が受け付けた選局指示によって選局される番組の情報と前記ランキング取得部が取得したランキング情報とを関連付けた情報を表示する表示部として機能させるためのプログラムである。
【発明の効果】
【００１８】
本発明によれば、表示装置は、ユーザに対して、現在視聴している番組と視聴率との関係を直感的に理解させることができる。
【図面の簡単な説明】
【００１９】
【図１】本発明に係る表示システムの基本構成を示す概略ブロック図である。
【図２】本発明の第１の実施形態に係る表示システムの構成を示す概略ブロック図である。
【図３】本発明の第１の実施形態に係る表示システムの動作を示すシーケンス図である。
【図４】視聴率の上位５番以内に選局した番組が含まれている場合における、本発明の第１の実施形態に係る表示部の画面例を示す図である。
【図５】本発明の第２の実施形態に係る表示システムの構成を示す概略ブロック図である。
【図６】本発明の第２の実施形態に係る表示システムの動作を示すシーケンス図である。
【図７】視聴率の上位５番以内に選局した番組が含まれている場合における、本発明の第２の実施形態に係る表示部の画面例を示す図である。
【図８】本発明の第３の実施形態に係る表示システムの構成を示す概略ブロック図である。
【図９】本発明の第３の実施形態に係る表示システムの動作を示すシーケンス図である。
【図１０】視聴率の上位５番以内に選局した番組が含まれている場合における、本発明の第３の実施形態に係る表示部の画面例を示す図である。
【図１１】本発明の第４の実施形態に係る表示システムの構成を示す概略ブロック図である。
【図１２】本発明の第４の実施形態に係る表示システムの動作を示すシーケンス図である。
【図１３】本発明の第４の実施形態に係る表示部の画面例を示す図である。
【図１４】本発明の第５の実施形態に係る表示システムの構成を示す概略ブロック図である。
【図１５】本発明の第５の実施形態に係る表示システムの動作を示すシーケンス図である。
【図１６】視聴率の順位が変動した場合における、本発明の第５の実施形態に係る表示部の画面例を示す図である。
【図１７】本発明の第６の実施形態に係る表示システムの構成を示す概略ブロック図である。
【図１８】本発明の第６の実施形態に係る表示システムの動作を示すシーケンス図である。
【発明を実施するための形態】
【００２０】
以下、図面を参照しながら本発明の実施形態について詳しく説明する。
《概要》
まず、本発明の概要について説明する。
図１は、本発明に係る表示システム１の基本構成を示す概略ブロック図である。
表示システム１は、選局部１１、ランキング取得部１２、表示部１３を備える。
選局部１１は、番組を視聴するための選局指示を受け付ける。選局指示の例としては、リモコンによる赤外線信号や、近距離無線通信による命令や、タッチパネルを介したタッチ操作などが挙げられる。
ランキング取得部１２は、テレビ番組などの番組ごとの視聴に基づく順位を示すランキング情報を取得する。ランキング情報の例としては、視聴率ランキングや視聴時間ランキングなどが挙げられる。
表示部１３は、選局部１１が受け付けた選局指示によって選局される番組の情報と、ランキング取得部１２が取得したランキング情報とを関連付けた情報を表示する。
【００２１】
当該表示部１３の表示により、表示システム１は、ユーザに対して、現在視聴している番組と視聴率との関係を直感的に理解させることができる。
以下、本発明の具体的な実施形態について説明する。
【００２２】
《第１の実施形態》
図２は、本発明の第１の実施形態に係る表示システム１００の構成を示す概略ブロック図である。
表示システム１００は、サーバ装置１１０と表示装置１２０とを備える。
サーバ装置１１０は、表示装置１２０が選局する番組の視聴率ランキングを生成する。
表示装置１２０は、放送波を受信し、ユーザの操作により、当該放送波に含まれる１つの番組を選局し、表示する。
【００２３】
サーバ装置１１０は、選局情報受信部１１１、ランキング記憶部１１２、ランキング更新部１１３、表示情報生成部１１４（リスト生成部、順位判定部）、表示情報送信部１１５を備える。
選局情報受信部１１１は、表示装置１２０から当該表示装置１２０が選局する番組を示す選局情報（例えば、選局した放送局や、番組名など）を受信する。
ランキング記憶部１１２は、番組ごとの視聴率ランキングを示すランキング情報を記憶する。
ランキング更新部１１３は、選局情報受信部１１１が受信した選局情報に基づいてランキング記憶部１１２が記憶するランキング情報を更新する。
表示情報生成部１１４は、ランキング更新部１１３が更新したランキング情報を取得し、当該ランキング情報に基づいて、選局情報受信部１１１が受信した選局情報が示す番組にマークを付した視聴率ランキングを示す表示情報を生成する。なお、表示情報生成部１１４は、上述した基本構成でいうところのランキング取得部１２に相当する。
表示情報送信部１１５は、表示情報生成部１１４が生成した表示情報を表示装置１２０に送信する。
【００２４】
表示装置１２０は、選局部１２１、選局情報送信部１２２、表示情報受信部１２３、表示部１２４を備える。
選局部１２１は、赤外線リモコンやスマートフォンなどから番組を視聴するための選局指示を受け付ける。なお、選局部１２１は、上述した基本構成でいうところの選局部１１に相当する。
選局情報送信部１２２は、選局部１２１が受け付けた選局指示によって選局される番組を示す選局情報を、サーバ装置１１０に送信する。
表示情報受信部１２３は、サーバ装置１１０から表示情報を受信する。
表示部１２４は、選局部１２１が受け付けた選局指示によって選局された番組の映像と、表示情報受信部１２３が受信した表示情報とを並べて表示する。なお、表示部１２４は、上述した基本構成でいうところの表示部１３に相当する。
【００２５】
次に、表示システム１００の動作について説明する。
図３は、本発明の第１の実施形態に係る表示システム１００の動作を示すシーケンス図である。
まず、表示装置１２０の選局部１２１は、赤外線リモコンやスマートフォンなどから番組を視聴するための選局指示を受け付け、当該選局指示が示す放送局の映像を放送波から抽出し（選局し）、当該映像を表示部１２４に表示させる（ステップＳ１０１）。次に、選局情報送信部１２２は、選局部１２１が受け付けた選局指示によって選局される番組を示す選局情報を、サーバ装置１１０に送信する（ステップＳ１０２）。このとき、選局情報送信部１２２は、選局情報に加えて、装置情報（ＩＤ、機種名、地域情報、ＵＩ（Ｕｓｅｒ  Ｉｎｔｅｒｆａｃｅ）設定条件など）を送信する。
【００２６】
サーバ装置１１０の選局情報受信部１１１は、表示装置１２０から選局情報を受信する（ステップＳ１０３）。次にランキング更新部１１３は、選局情報受信部１１１が受信した選局情報に基づいてランキング記憶部１１２が記憶するランキング情報を更新する（ステップＳ１０４）。具体的には、ランキング更新部１１３は、番組ごとに当該番組を選局している表示装置１２０の数（視聴数）を計数して内部メモリに記憶しており、選局情報の受信までに当該表示装置１２０が視聴していた番組の視聴数を１つ下げ、当該選局情報が示す番組の視聴数を１つ上げる。そして、ランキング更新部１１３は、当該視聴数から視聴率を算出し、当該視聴率に基づいてランキング記憶部１１２が記憶するランキング情報を更新する。なお、ランキング更新部１１３は、視聴率ランキングとして、全ての表示装置１２０の視聴率ランキングだけでなく、その他のユーザの属性ごと（例えば、地域ごと、性別ごと、年齢ごとなど）の視聴率ランキングも生成する。
【００２７】
次に、表示情報生成部１１４は、ランキング記憶部１１２からランキング情報を取得し、視聴率の上位５位以内に、選局情報受信部１１１が受信した選局情報が示す番組が含まれているか否かを判定する（ステップＳ１０５）。表示情報生成部１１４は、視聴率の上位５位以内に選局情報受信部１１１が受信した選局情報が示す番組が含まれていないと判定した場合（ステップＳ１０５：ＮＯ）、ランキング情報が示す上位５位までの視聴率の番組の番組名を、視聴率の昇順に格納したリストを表示情報として生成する（ステップＳ１０６）。このとき、表示情報生成部１１４は、選局情報受信部１１１が選局情報と共に受信した装置情報に基づいて、表示装置１２０に最適な表示情報を生成する。表示装置１２０に最適な表示情報とは、例えば、地域による絞り込みや、機種名によるＵＩの選択、ＵＩ設定条件やユーザ属性によるＵＩカスタマイズなどが挙げられる。
【００２８】
他方、表示情報生成部１１４は、視聴率の上位５位以内に選局情報受信部１１１が受信した選局情報が示す番組が含まれていると判定した場合（ステップＳ１０５：ＹＥＳ）、ランキング情報が示す上位５位までの視聴率の番組の番組名を、視聴率の昇順に格納したリストを生成し、選局情報が示す番組が含まれる欄に、当該番組が視聴中であることを示すマークを付し、これを表示情報とする（ステップＳ１０７）。このとき、表示情報生成部１１４は、選局情報受信部１１１が選局情報と共に受信した装置情報に基づいて、表示装置１２０に最適な表示情報を生成する。
次に、表示情報送信部１１５は、表示情報生成部１１４がステップＳ１０６またはステップＳ１０７で生成した表示情報を表示装置１２０に送信する（ステップＳ１０８）。
【００２９】
次に、表示装置１２０の表示情報受信部１２３は、サーバ装置１１０から表示情報を受信する（ステップＳ１０９）。そして、表示部１２４は、表示情報受信部１２３が受信した表示情報を表示する（ステップＳ１１０）。
【００３０】
図４は、視聴率の上位５番以内に選局した番組が含まれている場合における、本発明の第１の実施形態に係る表示部１２４の画面例を示す図である。
図４に示すように、第１の実施形態に係る表示装置１２０は、表示部１２４の左側に番組の映像を表示し、表示部１２４の右側に視聴率ランキングを示すリストＬ１を表示する。当該リストＬ１には、視聴率ランキングの昇順にその番組の番組名が格納される。このとき、当該リストＬ１中に現在視聴中の番組（図４では「情報バラエティ  メリディアン」という番組）がある場合、当該番組の欄に当該番組を視聴していることを示すマークＭが付される。
【００３１】
このように、本実施形態によれば、表示装置１２０は、ランキング情報のうち上位所定数の中にユーザが視聴している番組が含まれる場合、何れの番組が視聴中であるかを示すマークを付したランキング情報を表示する。これにより、ユーザは、現在視聴している番組と視聴率との関係を直感的に理解することができる。
【００３２】
なお、本実施形態では、サーバ装置１１０の表示情報生成部１１４が、上位５位までのランキングを示すリストを生成する場合について説明したが、リストに表示すべき番組の数は、これに限られない。
【００３３】
《第２の実施形態》
図５は、本発明の第２の実施形態に係る表示システム２００の構成を示す概略ブロック図である。
表示システム２００は、サーバ装置２１０と表示装置２２０とを備える。
サーバ装置２１０は、表示装置２２０が選局する番組の視聴率ランキングを生成する。また、サーバ装置２１０は、番組ごとに当該番組の出演者等、番組に関連するキーワードを示す関連情報を保持する。
表示装置２２０は、放送波を受信し、ユーザの操作により、当該放送波に含まれる１つの番組を選局し、表示する。
【００３４】
サーバ装置２１０は、選局情報受信部２１１、ランキング記憶部２１２、ランキング更新部２１３、関連情報記憶部２１４、表示情報生成部２１５（リスト生成部、順位判定部）、表示情報送信部２１６を備える。
選局情報受信部２１１は、表示装置２２０から選局情報を受信する。
ランキング記憶部２１２は、番組ごとの視聴率ランキングを示すランキング情報を記憶する。
ランキング更新部２１３は、選局情報受信部２１１が受信した選局情報に基づいてランキング記憶部２１２が記憶するランキング情報を更新する。
関連情報記憶部２１４は、番組ごとに関連情報を記憶する。
表示情報生成部２１５は、ランキング記憶部２１２が記憶するランキング情報と関連情報記憶部２１４が記憶する関連情報とに基づいて、現在視聴中の番組についての関連情報を含む視聴率ランキングを示す表示情報を生成する。なお、表示情報生成部２１５は、上述した基本構成でいうところのランキング取得部１２に相当する。
表示情報送信部２１６は、表示情報生成部２１５が生成した表示情報を表示装置２２０に送信する。
【００３５】
表示装置２２０は、選局部２２１、選局情報送信部２２２、表示情報受信部２２３、表示部２２４を備える。
選局部２２１は、赤外線リモコンやスマートフォンなどから番組を視聴するための選局指示を受け付ける。なお、選局部２２１は、上述した基本構成でいうところの選局部１１に相当する。
選局情報送信部２２２は、選局部２２１が受け付けた選局指示によって選局される番組を示す選局情報を、サーバ装置２１０に送信する。
表示情報受信部２２３は、サーバ装置２１０から表示情報を受信する。
表示部２２４は、選局部２２１が受け付けた選局指示によって選局された番組の映像と、表示情報受信部２２３が受信した表示情報とを並べて表示する。なお、表示部２２４は、上述した基本構成でいうところの表示部１３に相当する。
【００３６】
次に、表示システム２００の動作について説明する。
図６は、本発明の第２の実施形態に係る表示システム２００の動作を示すシーケンス図である。
まず、表示装置２２０の選局部２２１は、赤外線リモコンやスマートフォンなどから番組を視聴するための選局指示を受け付け、当該選局指示が示す放送局の映像を放送波から抽出し（選局し）、当該映像を表示部２２４に表示させる（ステップＳ２０１）。次に、選局情報送信部２２２は、選局部２２１が受け付けた選局指示によって選局される番組を示す選局情報を、サーバ装置２１０に送信する（ステップＳ２０２）。このとき、選局情報送信部２２２は、選局情報に加えて、装置情報（ＩＤ、機種名、地域情報、ＵＩ設定条件など）を送信する。
【００３７】
サーバ装置２１０の選局情報受信部２１１は、表示装置２２０から選局情報を受信する（ステップＳ２０３）。次にランキング更新部２１３は、選局情報受信部２１１が受信した選局情報に基づいてランキング記憶部２１２が記憶するランキング情報を更新する（ステップＳ２０４）。
【００３８】
次に、表示情報生成部２１５は、ランキング記憶部２１２からランキング情報を取得し、視聴率の上位５位以内に、選局情報受信部２１１が受信した選局情報が示す番組が含まれているか否かを判定する（ステップＳ２０５）。表示情報生成部２１５は、視聴率の上位５位以内に選局情報受信部２１１が受信した選局情報が示す番組が含まれていないと判定した場合（ステップＳ２０５：ＮＯ）、ランキング情報が示す上位５位までの視聴率の番組の番組名を、視聴率の昇順に格納したリストを表示情報として生成する（ステップＳ２０６）。このとき、表示情報生成部２１５は、選局情報受信部２１１が選局情報と共に受信した装置情報に基づいて、表示装置２２０に最適な表示情報を生成する。
【００３９】
他方、表示情報生成部２１５は、視聴率の上位５位以内に選局情報受信部２１１が取得した選局情報が示す番組が含まれていると判定した場合（ステップＳ２０５：ＹＥＳ）、関連情報記憶部２１４から当該番組の関連情報を取得する（ステップＳ２０７）。次に、表示情報生成部２１５は、ランキング情報が示す上位５位までの視聴率の番組の番組名を、視聴率の昇順に格納したリストを生成し、選局情報が示す番組が含まれる欄に取得した関連情報を格納し、これを表示情報とする（ステップＳ２０８）。このとき、表示情報生成部２１５は、選局情報受信部２１１が選局情報と共に受信した装置情報に基づいて、表示装置２２０に最適な表示情報を生成する。
そして、表示情報送信部２１６は、表示情報生成部２１５がステップＳ２０６またはステップＳ２０８で生成した表示情報を表示装置２２０に送信する（ステップＳ２０９）。
【００４０】
次に、表示装置２２０の表示情報受信部２２３は、サーバ装置２１０から表示情報を受信する（ステップＳ２１０）。そして、表示部２２４は、表示情報受信部２２３が受信した表示情報を表示する（ステップＳ２１１）。
【００４１】
図７は、視聴率の上位５番以内に選局した番組が含まれている場合における、本発明の第２の実施形態に係る表示部２２４の画面例を示す図である。
図７に示すように、第２の実施形態に係る表示装置２２０は、表示部２２４の左側に番組の映像Ｐ２を表示し、表示部２２４の右側に視聴率ランキングを示すリストＬ２を表示する。当該リストＬ２には、視聴率ランキングの昇順にその番組の番組名が格納される。このとき、当該リスト中に現在視聴中の番組（図７では「情報バラエティ  メリディアン」という番組）がある場合、当該番組の欄に当該番組についての関連情報Ｉが格納される。図７では、関連情報Ｉとして番組説明、出演者、キーワードが表示されている。
【００４２】
このように、本実施形態によれば、表示装置２２０は、ランキング情報のうち上位所定数の中にユーザが視聴している番組が含まれる場合、当該番組の関連情報を、ランキング情報に組み込んで表示する。これにより、ユーザは、現在視聴している番組と視聴率との関係を直感的に理解し、さらに現在視聴している番組に関連する情報を知ることができる。
【００４３】
なお、本実施形態では、サーバ装置２１０の表示情報生成部２１５が、上位５位までのランキングを示すリストを生成する場合について説明したが、リストに表示すべき番組の数は、これに限られない。
【００４４】
《第３の実施形態》
図８は、本発明の第３の実施形態に係る表示システム３００の構成を示す概略ブロック図である。
表示システム３００は、サーバ装置３１０と表示装置３２０とを備える。
サーバ装置３１０は、表示装置３２０が選局する番組の累積視聴時間ランキングを生成する。
表示装置３２０は、放送波を受信し、ユーザの操作により、当該放送波に含まれる１つの番組を選局し、表示する。
【００４５】
サーバ装置３１０は、選局情報受信部３１１、ランキング記憶部３１２、ランキング更新部３１３、寄与率算出部３１４、表示情報生成部３１５（リスト生成部、順位判定部）、表示情報送信部３１６を備える。
選局情報受信部３１１は、表示装置３２０から選局情報を受信する。
ランキング記憶部３１２は、番組ごとの累積視聴時間ランキングを示すランキング情報を記憶する。
ランキング更新部３１３は、選局情報受信部３１１が受信した選局情報に基づいてランキング記憶部３１２が記憶するランキング情報を更新する。
寄与率算出部３１４は、ランキング記憶部３１２が記憶するランキング情報が示す累積視聴時間ランキングに対する表示装置３２０の寄与率を算出する。
表示情報生成部３１５は、ランキング記憶部３１２が記憶するランキング情報と寄与率算出部３１４が算出した寄与率とに基づいて、現在視聴中の番組のランキングについてのユーザの寄与率を含む累積視聴時間ランキングを示す表示情報を生成する。なお、表示情報生成部３１５は、上述した基本構成でいうところのランキング取得部１２に相当する。
表示情報送信部３１６は、表示情報生成部３１５が生成した表示情報を表示装置３２０に送信する。
【００４６】
表示装置３２０は、選局部３２１、選局情報送信部３２２、表示情報受信部３２３、表示部３２４を備える。
選局部３２１は、赤外線リモコンやスマートフォンなどから番組を視聴するための選局指示を受け付ける。なお、選局部３２１は、上述した基本構成でいうところの選局部１１に相当する。
選局情報送信部３２２は、選局部３２１が受け付けた選局指示によって選局される番組を示す選局情報を、サーバ装置３１０に送信する。
表示情報受信部３２３は、サーバ装置３１０から表示情報を受信する。
表示部３２４は、選局部３２１が受け付けた選局指示によって選局された番組の映像と、表示情報受信部３２３が受信した表示情報とを並べて表示する。なお、表示部３２４は、上述した基本構成でいうところの表示部１３に相当する。
【００４７】
次に、表示システム３００の動作について説明する。
図９は、本発明の第３の実施形態に係る表示システム３００の動作を示すシーケンス図である。
まず、表示装置３２０の選局部３２１は、赤外線リモコンやスマートフォンなどから番組を視聴するための選局指示を受け付け、当該選局指示が示す放送局の映像を放送波から抽出し（選局し）、当該映像を表示部３２４に表示させる（ステップＳ３０１）。次に、選局情報送信部３２２は、選局部３２１が受け付けた選局指示によって選局される番組を示す選局情報を、サーバ装置３１０に送信する（ステップＳ３０２）。このとき、選局情報送信部３２２は、選局情報に加えて、装置情報（ＩＤ、機種名、地域情報、ＵＩ設定条件など）を送信する。
【００４８】
サーバ装置３１０の選局情報受信部３１１は、表示装置３２０から選局情報を受信する（ステップＳ３０３）。次にランキング更新部３１３は、選局情報受信部３１１が受信した選局情報に基づいてランキング記憶部３１２が記憶するランキング情報を更新する（ステップＳ３０４）。具体的には、ランキング更新部３１３は、番組ごとに当該番組を選局している表示装置３２０の数（視聴数）と累積視聴時間とを内部メモリに記憶しており、単位時間ごとに現在の視聴数を累積視聴時間に加算することで累積視聴時間を更新し、当該累積視聴時間に基づいてランキング記憶部３１２が記憶するランキング情報を更新する。なお、ランキング更新部３１３は、累積視聴時間ランキングとして、全ての表示装置３２０の視聴率ランキングだけでなく、その他のユーザの属性ごと（例えば、地域ごと、性別ごと、年齢ごとなど）の視聴率ランキングも生成する。
【００４９】
次に、寄与率算出部３１４は、選局情報受信部３１１が受信した選局情報が示す番組の累積視聴時間ランキングに対する、表示装置３２０の寄与率を算出する（ステップＳ３０５）。具体的には、寄与率算出部３１４は、選局情報受信部３１１が当該表示装置３２０から選局情報を受信した時刻から現在時刻までの時間を、累積視聴時間で除算することで寄与率を算出する。
【００５０】
次に、表示情報生成部３１５は、ランキング記憶部３１２が記憶するランキング情報を取得し、視聴率の上位５位以内に、選局情報受信部３１１が受信した選局情報が示す番組が含まれているか否かを判定する（ステップＳ３０６）。表示情報生成部３１５は、視聴率の上位５位以内に選局情報受信部３１１が受信した選局情報が示す番組が含まれていないと判定した場合（ステップＳ３０６：ＮＯ）、ランキング情報が示す上位５位までの視聴率の番組の番組名を、視聴率の昇順に格納したリストを表示情報として生成する（ステップＳ３０７）。
【００５１】
他方、表示情報生成部３１５は、視聴率の上位５位以内に選局情報受信部３１１が受信した選局情報が示す番組が含まれていると判定した場合（ステップＳ３０６：ＹＥＳ）、ランキング情報が示す上位５位までの視聴率の番組の番組名を、視聴率の昇順に格納したリストを生成し、選局した番組が含まれる欄に寄与率算出部３１４が算出した寄与率情報が示す寄与率を格納し、これを表示情報とする（ステップＳ３０８）。
そして、表示情報送信部３１６は、表示情報生成部３１５がステップＳ３０７またはステップＳ３０８で生成した表示情報を表示装置３２０に送信する（ステップＳ３０９）。
【００５２】
次に、表示装置３２０の表示情報受信部３２３は、サーバ装置３１０から表示情報を受信する（ステップＳ３１０）。そして、表示部３２４は、表示情報受信部３２３が受信した表示情報を表示する（ステップＳ３１１）。
【００５３】
図１０は、視聴率の上位５番以内に選局した番組が含まれている場合における、本発明の第３の実施形態に係る表示部３２４の画面例を示す図である。
図１０に示すように、第３の実施形態に係る表示装置３２０は、表示部３２４の左側に番組の映像Ｐ３を表示し、表示部３２４の右側に視聴率ランキングを示すリストＬ３を表示する。当該リストＬ３には、視聴率ランキングの昇順にその番組の番組名が格納される。このとき、当該リストＬ３中に現在視聴中の番組（図１０では「情報バラエティ  メリディアン」という番組）がある場合、当該番組の欄に当該番組のランキングに対するユーザの寄与率Ｒ（図１０では寄与率３２％）が格納される。
【００５４】
このように、本実施形態によれば、表示装置３２０は、ランキング情報のうち上位所定数の中にユーザが視聴している番組が含まれる場合、当該番組のランキングに対する寄与率を、ランキング情報に組み込んで表示する。これにより、ユーザは、現在視聴している番組と視聴率との関係を直感的に理解し、さらに現在視聴している番組のランキングに自身がどの程度関係しているのかを知ることができる。
【００５５】
なお、本実施形態では、サーバ装置３１０の表示情報生成部３１５が、上位５位までのランキングを示すリストを生成する場合について説明したが、リストに表示すべき番組の数は、これに限られない。
【００５６】
《第４の実施形態》
図１１は、本発明の第４の実施形態に係る表示システム４００の構成を示す概略ブロック図である。
表示システム４００は、サーバ装置４１０と表示装置４２０とを備える。
サーバ装置４１０は、表示装置４２０が選局する番組の視聴率ランキングを生成する。
表示装置４２０は、放送波を受信し、ユーザの操作により、当該放送波に含まれる１つの番組を選局し、表示する。
【００５７】
サーバ装置４１０は、選局情報受信部４１１、ランキング記憶部４１２、ランキング更新部４１３、表示情報生成部４１４（順位特定部）、表示情報送信部４１５を備える。
選局情報受信部４１１は、表示装置４２０から選局情報を受信する。
ランキング記憶部４１２は、番組ごとの視聴率ランキングを示すランキング情報を記憶する。
ランキング更新部４１３は、選局情報受信部４１１が受信した選局情報に基づいてランキング記憶部４１２が記憶するランキング情報を更新する。
表示情報生成部４１４は、ランキング記憶部４１２が記憶するランキング情報に基づいて、選局情報受信部４１１が受信した選局情報が示す番組の視聴率ランキングにおける順位を示す表示情報を生成する。なお、表示情報生成部４１４は、上述した基本構成でいうところのランキング取得部１２に相当する。
表示情報送信部４１５は、表示情報生成部４１４が生成した表示情報を表示装置４２０に送信する。
【００５８】
表示装置４２０は、選局部４２１、選局情報送信部４２２、表示情報受信部４２３、表示部４２４を備える。
選局部４２１は、赤外線リモコンやスマートフォンなどから番組を視聴するための選局指示を受け付ける。なお、選局部４２１は、上述した基本構成でいうところの選局部１１に相当する。
選局情報送信部４２２は、選局部４２１が受け付けた選局指示によって選局される番組を示す選局情報を、サーバ装置４１０に送信する。
表示情報受信部４２３は、サーバ装置４１０から表示情報を受信する。
表示部４２４は、選局部４２１が受け付けた選局指示によって選局された番組の映像に、表示情報受信部４２３が受信した表示情報を重畳して表示する。なお、重畳表示には、ＯＳＤ（Ｏｎ  Ｓｃｒｅｅｎ  Ｄｉｓｐｌａｙ）を用いる。なお、表示部４２４は、上述した基本構成でいうところの表示部１３に相当する。
【００５９】
次に、表示システム４００の動作について説明する。
図１２は、本発明の第４の実施形態に係る表示システム４００の動作を示すシーケンス図である。
まず、表示装置４２０の選局部４２１は、赤外線リモコンやスマートフォンなどから番組を視聴するための選局指示を受け付け、当該選局指示が示す放送局の映像を放送波から抽出し（選局し）、当該映像を表示部４２４に表示させる（ステップＳ４０１）。次に、選局情報送信部４２２は、選局部４２１が受け付けた選局指示によって選局される番組を示す選局情報を、サーバ装置４１０に送信する（ステップＳ４０２）。このとき、選局情報送信部４２２は、選局情報に加えて、装置情報（ＩＤ、機種名、地域情報、ＵＩ設定条件など）を送信する。
【００６０】
サーバ装置４１０の選局情報受信部４１１は、表示装置４２０から選局情報を受信する（ステップＳ４０３）。次にランキング更新部４１３は、選局情報受信部４１１が受信した選局情報に基づいてランキング記憶部４１２が記憶するランキング情報を更新する（ステップＳ４０４）。なお、ランキング更新部４１３は、視聴率ランキングとして、全ての表示装置４２０の視聴率ランキングだけでなく、その他のユーザの属性ごと（例えば、地域ごと、性別ごと、年齢ごとなど）の視聴率ランキングも生成する。
【００６１】
次に、表示情報生成部４１４は、ランキング記憶部４１２が記憶するランキング情報を参照し、選局情報受信部４１１が受信した選局情報が示す番組の順位を特定し、当該順位を示す表示情報を生成する（ステップＳ４０５）。このとき、番組の順位に変動があった場合、表示情報生成部４１４は、当該変動を表す記号を表示情報に含める。例えば、表示情報生成部４１４は、順位が上がった場合に上向き矢印の記号を、順位が下がった場合に下向き矢印の記号を、表示情報に含める。このとき、表示情報生成部４１４は、選局情報受信部４１１が選局情報と共に受信した装置情報に基づいて、表示装置４２０に最適な表示情報を生成しても良い。例えば選局情報受信部４１１が選局情報と共に受信した装置情報が示す特定地域における順位を示す順位を表示情報として生成しても良い。
次に、表示情報送信部４１５は、表示情報生成部４１４が生成した表示情報を表示装置４２０に送信する（ステップＳ４０６）。
【００６２】
次に、表示装置４２０の表示情報受信部４２３は、サーバ装置４１０から表示情報を受信する（ステップＳ４０７）。そして、表示部４２４は、表示情報受信部４２３が受信した表示情報を、ステップＳ４０１で表示した映像に重畳させて表示する（ステップＳ４０８）。
【００６３】
図１３は、本発明の第４の実施形態に係る表示部４２４の画面例を示す図である。
図１３に示すように、第４の実施形態に係る表示装置４２０は、表示部４２４の全体に番組の映像Ｐ４を表示し、表示部４２４の右上に、当該番組の放送局名と、視聴率ランキングにおける当該番組の順位（図１３に示す例では２位）と、順位の変動を示す矢印の記号とを含む表示情報Ｄ４を表示する。
【００６４】
このように、本実施形態によれば、表示装置４２０は、番組の映像に重畳させて当該番組の視聴率ランキングにおける順位を表示する。これにより、ユーザは、現在視聴している番組と視聴率との関係を直感的に理解することができる。
【００６５】
なお、本実施形態では、表示装置４２０がＯＳＤに番組の順位を表示させる場合について説明したが、これに限られず、例えば、ＯＳＤに、第１の実施形態に示すような上位５位までのランキングにマークを付したものなど、選局された番組とランキング情報とを関連付けたその他の情報を表示させても良い。
【００６６】
また、本実施形態では、表示装置４２０が番組の順位をＯＳＤに表示させる場合について説明したが、これに限られず、例えば表示装置４２０のホーム画面を起動したときに、当該ホーム画面に設けられた所定の区画に番組の順位を表示させても良い。
【００６７】
《第５の実施形態》
図１４は、本発明の第５の実施形態に係る表示システム５００の構成を示す概略ブロック図である。
表示システム５００は、サーバ装置５１０と表示装置５２０とを備える。
サーバ装置５１０は、表示装置５２０が選局する番組の視聴率ランキングを生成する。
表示装置５２０は、放送波を受信し、ユーザの操作により、当該放送波に含まれる１つの番組を選局し、表示する。
【００６８】
サーバ装置５１０は、選局情報受信部５１１、ランキング記憶部５１２、ランキング更新部５１３、表示情報生成部５１４（順位特定部）、表示情報送信部５１５を備える。
選局情報受信部５１１は、表示装置５２０から選局情報を受信する。
ランキング記憶部５１２は、番組ごとの視聴率ランキングを示すランキング情報を記憶する。
ランキング更新部５１３は、選局情報受信部５１１が受信した選局情報に基づいてランキング記憶部５１２が記憶するランキング情報を更新する。
表示情報生成部５１４は、ランキング記憶部５１２が記憶するランキング情報に基づいて、選局情報受信部５１１が受信した選局情報が示す番組の視聴率ランキングにおける順位が変動したときに、当該順位を示す表示情報を生成する。なお、表示情報生成部５１４は、上述した基本構成でいうところのランキング取得部１２に相当する。
表示情報送信部５１５は、表示情報生成部５１４が生成した表示情報を表示装置５２０に送信する。
【００６９】
表示装置５２０は、選局部５２１、選局情報送信部５２２、表示情報受信部５２３、表示部５２４を備える。
選局部５２１は、赤外線リモコンやスマートフォンなどから番組を視聴するための選局指示を受け付ける。なお、選局部５２１は、上述した基本構成でいうところの選局部１１に相当する。
選局情報送信部５２２は、選局部５２１が受け付けた選局指示によって選局される番組を示す選局情報を、サーバ装置５１０に送信する。
表示情報受信部５２３は、サーバ装置５１０から表示情報を受信する。
表示部５２４は、選局部５２１が受け付けた選局指示によって選局された番組の映像に、表示情報受信部５２３が受信した表示情報を重畳して所定時間（例えば、１０秒間）だけ表示する。なお、重畳表示には、ＯＳＤを用いる。なお、表示部５２４は、上述した基本構成でいうところの表示部１３に相当する。
【００７０】
次に、表示システム５００の動作について説明する。
図１５は、本発明の第５の実施形態に係る表示システム５００の動作を示すシーケンス図である。
まず、表示装置５２０の選局部５２１は、赤外線リモコンやスマートフォンなどから番組を視聴するための選局指示を受け付け、当該選局指示が示す放送局の映像を放送波から抽出し（選局し）、当該映像を表示部５２４に表示させる（ステップＳ５０１）。次に、選局情報送信部５２２は、選局部５２１が受け付けた選局指示によって選局される番組を示す選局情報を、サーバ装置５１０に送信する（ステップＳ５０２）。このとき、選局情報送信部５２２は、選局情報に加えて、装置情報（ＩＤ、機種名、地域情報、ＵＩ設定条件など）を送信する。
【００７１】
サーバ装置５１０の選局情報受信部５１１は、表示装置５２０から選局情報を受信する（ステップＳ５０３）。次にランキング更新部５１３は、選局情報受信部５１１が受信した選局情報に基づいてランキング記憶部５１２が記憶するランキング情報を更新する（ステップＳ５０４）。なお、ランキング更新部５１３は、視聴率ランキングとして、全ての表示装置５２０の視聴率ランキングだけでなく、その他のユーザの属性ごと（例えば、地域ごと、性別ごと、年齢ごとなど）の視聴率ランキングも生成する。
【００７２】
次に、表示情報生成部５１４は、ランキング記憶部５１２が受信したランキング情報を参照し、選局情報受信部５１１が受信した選局情報が示す番組の順位が、選局情報の受信以前と同じであるか否かを判定する（ステップＳ５０５）。選局情報受信部５１１が受信した選局情報が示す番組の順位が、選局情報の受信以前と同じである場合（ステップＳ５０５：ＹＥＳ）、表示情報の送信を行わずに、処理を終了する。
【００７３】
他方、選局情報受信部５１１が受信した選局情報が示す番組の順位が、選局情報の受信以前と異なる場合（ステップＳ５０５：ＮＯ）、表示情報生成部５１４は、当該順位を示す表示情報を生成する（ステップＳ５０６）。このとき、表示情報生成部５１４は、選局情報受信部５１１が選局情報と共に受信した装置情報に基づいて、表示装置５２０に最適な表示情報を生成しても良い。例えば選局情報受信部５１１が選局情報と共に受信した装置情報が示す特定地域における順位を示す順位を表示情報として生成しても良い。
次に、表示情報送信部５１５は、表示情報生成部５１４が生成した表示情報を表示装置５２０に送信する（ステップＳ５０７）。
【００７４】
次に、表示装置５２０の表示情報受信部５２３は、サーバ装置５１０から表示情報を受信する（ステップＳ５０８）。そして、表示部５２４は、表示情報受信部５２３が受信した表示情報を、ステップＳ５０１で表示した映像に重畳させて所定時間だけ表示する（ステップＳ５０９）。
【００７５】
図１６は、視聴率の順位が変動した場合における、本発明の第５の実施形態に係る表示部５２４の画面例を示す図である。
図１６に示すように、第５の実施形態に係る表示装置５２０は、表示部５２４の全体に番組の映像Ｐ５を表示し、表示部５２４の右下に、視聴率ランキングにおける当該番組の順位（図１３に示す例では３位）と、視聴中の番組の詳細情報ページへ遷移するためのボタンＢとを含む表示情報Ｄ５を表示する。
【００７６】
このように、本実施形態によれば、表示装置５２０は、番組の映像に重畳させて当該番組の視聴率ランキングにおける順位を表示する。これにより、ユーザは、現在視聴している番組と視聴率との関係を直感的に理解することができる。また、表示装置５２０は、当該表示情報を視聴率ランキングにおける順位が変動したときに所定時間だけ表示するため、順位の変動がない間、全画面で番組の映像を表示することができる。
【００７７】
また、本実施形態では、表示装置５２０は、視聴番組の変動があった場合に表示情報を表示する場合について説明したが、これに限られない。例えば視聴率が上位５位以内である場合において順位の変動があったときに、表示情報を表示し、上位５位より下にある場合においては、順位の変動の有無に関わらず表示情報を表示しないようにしても良い。この場合、視聴率が上位５位以内から上位５位より下に変動したとき、視聴率がランク圏外にあることを示す表示情報を表示させても良い。
【００７８】
また、上述したように、視聴率ランキングは、地域ごと、性別ごと、年齢ごとなどのユーザの属性ごとに生成されているため、視聴番組の変動があった場合に表示させる表示情報に、他の属性における同一順位の番組の情報を表示させても良い。
【００７９】
《第６の実施形態》
図１７は、本発明の第６の実施形態に係る表示システム６００の構成を示す概略ブロック図である。
表示システム６００は、サーバ装置６１０と端末装置６３０（選局装置）と表示装置６２０とを備える。
サーバ装置６１０は、表示装置６２０が選局する番組の視聴率ランキングを生成する。
端末装置６３０は、スマートフォンなどの携帯通信端末であって、番組のランキングを表示するウィジェットプログラムを実行することで、ユーザによるタッチパネルの操作により表示装置６２０に対して選局指示を出力し、またサーバ装置６１０が生成する視聴率ランキングに関する情報を表示する。なお、ウィジェットプログラムとは、端末装置６３０のホーム画面上に配置される、ＧＵＩ（Ｇｒａｐｈｉｃａｌ  Ｕｓｅｒ  Ｉｎｔｅｒｆａｃｅ）を有するアプリケーションプログラムである。
表示装置６２０は、放送波を受信し、端末装置６３０から受け付けた選局指示に従って、当該放送波に含まれる１つの番組を選局し、表示する。
【００８０】
サーバ装置６１０は、選局情報受信部６１１、ランキング記憶部６１２、ランキング更新部６１３、表示情報生成部６１４、表示情報送信部６１５を備える。
選局情報受信部６１１、端末装置６３０から表示装置６２０に選局させる番組を示す選局情報を受信する。
ランキング記憶部６１２は、番組ごとの視聴率ランキングを示すランキング情報を記憶する。
ランキング更新部６１３は、選局情報受信部６１１が受信した選局情報に基づいてランキング記憶部６１２が記憶するランキング情報を更新する。
表示情報生成部６１４は、第１の実施形態〜第５の実施形態示す手順などにより表示情報を生成する。なお、表示情報生成部６１４は、上述した基本構成でいうところのランキング取得部１２に相当する。
表示情報送信部６１５は、表示情報生成部６１４が生成した表示情報を端末装置６３０に送信する。
【００８１】
端末装置６３０は、番組のランキングを表示するウィジェットプログラムを実行することで、選局部６３１、選局情報送信部６３２、表示情報受信部６３３、表示部６３４を備える。
選局部６３１は、タッチパネルを介して利用者から番組を視聴するための選局指示を受け付け、当該選局指示を赤外線通信や無線通信により表示装置６２０に送信する。なお、選局部６３１は、上述した基本構成でいうところの選局部１１に相当する。
選局情報送信部６３２は、選局部６３１が受け付けた選局指示によって表示装置６２０に選局させる番組を示す選局情報を、サーバ装置６１０に送信する。
表示情報受信部６３３は、サーバ装置６１０から表示情報を受信する。
表示部６３４は、表示情報受信部６３３が受信した表示情報を表示する。なお、表示部６３４は、上述した基本構成でいうところの表示部１３に相当する。
【００８２】
表示装置６２０は、選局受付部６２１、映像表示部６２２を備える。
選局受付部６２１は、端末装置６３０から番組を視聴するための選局指示を受け付ける。
映像表示部６２２は、選局受付部６２１が受け付けた選局指示によって選局された番組の映像を表示する。
【００８３】
次に、表示システム６００の動作について説明する。
図１８は、本発明の第６の実施形態に係る表示システム６００の動作を示すシーケンス図である。
まず、端末装置６３０の選局部６３１は、タッチパネルの操作によりユーザから番組を視聴するための選局指示を受け付け、当該選局指示を表示装置６２０に出力する（ステップＳ６０１）。表示装置６２０の選局受付部６２１は、端末装置６３０から選局指示を受け付け（ステップＳ６０２）、当該選局指示が示す放送局の映像を放送波から抽出し（選局し）、当該映像を映像表示部６２２に表示させる（ステップＳ６０３）。
【００８４】
また、ステップＳ６０１で端末装置６３０の選局部６３１が選局指示を受け付けると、選局情報送信部６３２は、選局部６３１が受け付けた選局指示によって選局される番組を示す選局情報を、サーバ装置６１０に送信する（ステップＳ６０４）。このとき、選局情報送信部６３２は、選局情報に加えて、端末装置６３０の装置情報（ＩＤ、機種名、ＵＩ設定条件など）及び表示装置６２０の装置情報（ＩＤ、機種名、地域情報など）を送信する。
【００８５】
サーバ装置６１０の選局情報受信部６１１は、表示装置６２０から選局情報を受信する（ステップＳ６０５）。次にランキング更新部６１３は、選局情報受信部６１１が受信した選局情報に基づいてランキング記憶部６１２が記憶するランキング情報を更新する（ステップＳ６０６）。なお、ランキング更新部６１３は、視聴率ランキングとして、全ての表示装置６２０の視聴率ランキングだけでなく、その他のユーザの属性ごと（例えば、地域ごと、性別ごと、年齢ごとなど）の視聴率ランキングも生成する。
【００８６】
次に、表示情報生成部６１４は、ランキング記憶部６１２からランキング情報を取得し、第１の実施形態〜第５の実施形態などに示す手法で選局情報を生成する（ステップＳ６０７）。このとき、表示情報生成部６１４は、選局情報受信部６１１が選局情報と共に受信した端末装置６３０の装置情報に基づいて、端末装置６３０に最適な表示情報を生成する。端末装置６３０に最適な表示情報とは、例えば、機種名によるＵＩの選択、ＵＩ設定条件やユーザ属性によるＵＩカスタマイズなどが挙げられる。
次に、表示情報送信部６１５は、表示情報生成部６１４が生成した表示情報を端末装置６３０に送信する（ステップＳ６０８）。
【００８７】
次に、端末装置６３０の表示情報受信部６３３は、サーバ装置６１０から表示情報を受信する（ステップＳ６０９）。そして、表示部６３４は、表示情報受信部６３３が受信した表示情報を表示する（ステップＳ６１０）。
【００８８】
このように、本実施形態によれば、端末装置６３０は、表示装置６２０に表示されている番組に関連するランキング情報を表示する。これにより、ユーザは、現在視聴している番組と視聴率との関係を直感的に理解することができる。
【００８９】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述した各実施形態では、サーバ装置が表示情報を生成して表示装置に送信する場合について説明したが、これに限られず、例えばサーバ装置がランキング情報を表示装置に送信し、表示装置が当該ランキング情報に基づいて表示情報を生成するようにしても良い。
【００９０】
なお、上述のサーバ装置１１０、２１０、３１０、４１０、５１０、６１０、表示装置１２０、２２０、３２０、４２０、５２０、６２０、端末装置６３０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００９１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９２】
１…表示システム  １１…選局部  １２…ランキング取得部  １３…表示部  １００、２００、３００、４００、５００、６００…表示システム  １１０、２１０、３１０、４１０、５１０、６１０…サーバ装置  １１１、２１１、３１１、４１１、５１１、６１１…選局情報受信部  １１２、２１２、３１２、４１２、５１２、６１２…ランキング記憶部  １１３、２１３、３１３、４１３、５１３、６１３…ランキング更新部  １１４、２１５、３１５、４１４、５１４、６１４…表示情報生成部  １１５、２１６、３１６、４１５、５１５、６１５…表示情報送信部  １２０、２２０、３２０、４２０、５２０、６２０…表示装置  １２１、２２１、３２１、４２１、５２１…選局部  １２２、２２２、３２２、４２２、５２２…選局情報送信部  １２３、２２３、３２３、４２３、５２３…表示情報受信部  １２４、２２４、３２４、４２４、５２４…表示部  ２１４…関連情報記憶部  ３１４…寄与率算出部  ６２１…選局受付部  ６２２…映像表示部  ６３０…端末装置  ６３１…選局部  ６３２…選局情報送信部  ６３３…表示情報受信部  ６３４…表示部
【図１】
2014068130.tif 000003
【図２】
2014068130.tif 000004
【図３】
2014068130.tif 000005
【図４】
2014068130.tif 000006
【図５】
2014068130.tif 000007
【図６】
2014068130.tif 000008
【図７】
2014068130.tif 000009
【図８】
2014068130.tif 000010
【図９】
2014068130.tif 000011
【図１０】
2014068130.tif 000012
【図１１】
2014068130.tif 000013
【図１２】
2014068130.tif 000014
【図１３】
2014068130.tif 000015
【図１４】
2014068130.tif 000016
【図１５】
2014068130.tif 000017
【図１６】
2014068130.tif 000018
【図１７】
2014068130.tif 000019
【図１８】
2014068130.tif 000020